(57)【要約】      （修正有）【課題】身障者でも一人で片手でも着脱が可能で、健常者にとっても障害者にとっても利便性が高いブーツを提供する。【解決手段】脚部１と足首部３と足部２が繋げられて形成されたブーツにおいて、脚部の側面側より前方に位置する部分に、少なくとも脚部上端から足首部まで伸び且つ大きな開口幅を持った開口部を形成するジッパー５または面ファスナーからなる開口部形成手段を設けたブーツであり、捕装具を装着した障害者が一人で片手でも開口でき、容易に捕装具を内側に包むことができる。【選択図】図１
0003195889.tif 000002
【実用新案登録請求の範囲】
【請求項１】
脚部と足首部と足部が繋げられて形成されたブーツにおいて、前記脚部の側面側より前方に位置する部分に、少なくとも脚部上端から前記足首部まで伸び且つ開口幅を持った開口部を形成する開口部形成手段を設けたことを特徴とするブーツ。
【請求項２】
請求項１記載のブーツにおいて、前記開口部形成手段がジッパーまたは面ファスナーで形成され、前記脚部の両側面部に設けられていることを特徴とするブーツ。
【請求項３】
請求項１記載のブーツにおいて、前記開口部形成手段がジッパーまたは面ファスナーで形成され、前記脚部の前面側で前記脚部の上端から前記足部のつま先先端まで連続して設けられていることを特徴とするブーツ。
【請求項４】
請求項１記載のブーツにおいて、前記開口部形成手段がジッパーまたは面ファスナーで形成され、前記脚部の一方の側面側で前記脚部の上端から前記足部の下方を通ってつま先先端まで連続して設けられていることを特徴とするブーツ。
【請求項５】
請求項１記載のブーツにおいて、前記開口部形成手段が、面ファスナーで形成され、前記脚部の前面側の上端から足首部まで設けられて開口可能となっていることを前特徴とするブーツ。
【請求項６】
請求項１記載のブーツにおいて、前記開口部形成手段が、一端が前記脚部に固定され他端が前記脚部に脱着可能となっている幅のあるベルトで形成され、同ベルトは前記脚部の上方から下方に複数個配置されていることを特徴とするブーツ。
【考案の詳細な説明】
【技術分野】
【０００１】  本考案は、ブーツに関し、特にユニバーサルデザインブーツに関するもので補装具（足用装具）を装着した障害者、或は片手しか使えない障害者も履くことができるブーツに関する。
【背景技術】
【０００２】  従来の障害者用のブーツとして、ブーツの後側にファスナーが取り付けられた防寒ブーツが実用新案登録第３１５７７４９号公報に記載されている。
【先行技術文献】
【特許文献】
【０００３】
【特許文献１】実用新案登録第３１５７７４９号公報
【考案の概要】
【考案が解決しようとする課題】
【０００４】  実用新案登録第３１５７７４９号記載の防寒ブーツは、公報０００９欄に「補装具を装着した状態でのブーツの形状及び構造はファスナーを前方や横に取り付けると不具合が生じるため開口部の確保のため後ろファスナーにすることで問題を解決し」と記載されている。【０００５】  しかしながら、単にファスナーを後ろにしただけのブーツでは、補装具を装着した障害者が、補装具を装着した足にブーツを履くために手を足の後ろに回してファスナーを上げ下げすること、特に、ブーツに足を入れてファスナーを上げるのは非常に困難であり、介護者にファスナーを上げるのを手伝ってもらうことが必要となる。【０００６】  そこで本考案は、身障者でも一人で片手でも着脱が可能で、健常者にとっても障害者にとっても利便性が高い、ユニバーサルデザインのブーツを提供することを目的になされたものである。即ち、障害者にとっては、デザイン性、ファッション性が高く、安全性も高い、装具が隠れる高さで、左右大きさが違う、膝まで足用装具用ブーツであり、また、デザイン的に健常者、障害者の区別はない靴は皆無であるため、障害者用の靴しか履けないという障害者の精神的苦痛に配慮し、健常者にとっても、履きにくい靴が多く、履き易く、かつデザイン性が高い靴はあまりないという悩みを解決したユニバーサルデザインのブーツを提供することを目的に本考案がなされた。
【課題を解決するための手段】
【０００７】  本考案は、上記目的を達成するため、（１）脚部と足首部と足部が繋げられて形成されたブーツにおいて、前記脚部の側面側より前方に位置する部分に、少なくとも脚部上端から前記足首部まで伸び且つ開口幅を持った開口部を形成する開口部形成手段を設けたブーツを提供する。【０００８】  上記（１）記載のブーツにおいて、前記開口部形成手段がジッパーまたは面ファスナーで形成され、前記脚部の両側面部に設けられているブーツを提供する。【０００９】  上記（１）記載のブーツにおいて、前記開口部形成手段がジッパーまたは面ファスナーで形成され、前記脚部の前面側で前記脚部の上端から前記足部のつま先先端まで連続して設けられているブーツを提供する。【００１０】  上記（１）記載のブーツにおいて、前記開口部形成手段がジッパーまたは面ファスナーで形成され、前記脚部の一方の側面側で前記脚部の上端から前記足部の下方を通ってつま先先端まで連続して設けられているブーツを提供する。【００１１】  上記（１）記載のブーツにおいて、前記開口部形成手段が、面ファスナーで形成され、前記脚部の前面側の上端から足首部まで設けられて開口可能となっているブーツを提供する。【００１２】  上記（１）記載のブーツにおいて、前記開口部形成手段が、一端が前記脚部に固定され他端が前記脚部に脱着可能となっている幅のあるベルトで形成され、同ベルトは前記脚部の上方から下方に複数個配置されているブーツを提供する。
【考案の効果】
【００１３】  上記解決手段に記載した収納体によれば、捕装器を装着したままで他人の助けを借りることなく身障者自ら履くことができるブーツを提供する。
【図面の簡単な説明】
【００１４】
【図１】本考案の実施形態を示す実施例１の斜視図。
【図２】本考案の実施形態を示す実施例２の斜視図。
【図３】本考案の実施形態を示す実施例３の斜視図。
【図４】本考案の実施形態を示す実施例４の斜視図。
【図５】本考案の実施形態を示す実施例５の斜視図。
【図６】本考案の実施形態を示す実施例６の斜視図。
【図７】本考案の実施形態を示す実施例７の斜視図。
【図８】本考案の実施形態を示す実施例８の斜視図。
【考案を実施するための形態】
【実施例１】
【００１５】  実施例１のＭ＆Ｆブーツを図１に基づいて説明する。なおＭ＆Ｆとはメッシュ＆ファーを意味している。
Ｍ＆Ｆブーツは、脚部１と足部２とが足首部３を介して繋下られて形成されており、脚部１、足部２、足首部３は黒、白、茶等の色の本皮製の荒いメッシュで形成されている。脚部１の左右の両サイドには、脚部１の上端から脚部１と足部２の下端まで繋がっているジッパー４、５が取り付けられていて、ジッパー４、５を下げれば、脚部１は前方側と後方側とに分離するようになっており、前方側を前方向に倒すことで、後方側の脚部１に大きな間口幅を保持した開口ができるよう構成されている。【００１６】  メッシュで形成された脚部１、足部２の内部には、狐等の毛皮で形成されたファー素材６がボタンなどにより脱着自在に留められている。脚部１の上端にはファション性をアップさせるためにＢ蝶マーク７が面ファスナーやボタン等で取り付けられている。なお、踵の高さは、健常者用と障害者用とでは変えていて、障害者用は安全性の点から踵を低くしている。【００１７】  このＭ＆Ｆブーツは、脚部１の左右の両サイドのジッパー４、５を下げれば、脚部１の前方側と後方側とに分けられ、前方側を前方向に倒すことで、脚部１に大きな開口幅を保持して開口させることができるよう構成されているので、補装具を装着した障害者が介護者の手を借りず一人で簡単にブーツを履いたり脱いだりすることができる。また、ファー素材６を外して暑い夏に利用して、ファー素材６を付ければ寒い冬に利用して最適であり、一足で夏冬兼用できる。【００１８】  Ｍ＆Ｆブーツは以上の通りであり、Ｍ＆Ｆブーツのコンセプトは、メッシュ、ファー素材６ともに、間口が大きくないと補装具は入らないので、両サイドに下までのジッパー４、５を採用し、間口を拡げ、補装具装着の状態での障害者でも一人で、片手でも容易に着脱が可能にした。内部に敷くファー素材６は取り外し可能とし、夏には、メッシュだけのブーツになる。補装具を装着している障害者にも、デザイン性が高く、安全性も高い、補装具が隠れる高さで、左右大きさが違う、膝までの補装具用ブーツで、障害者が、１年中履けるブーツを提供することである。（補装具を着けているので、１年中補装具を隠すブーツが履く必要がある。）夏は、メッシュのみのブーツとすれば、ファー素材６なしで、清涼感が増す。本皮製で、色は黒、白、茶等とした２層構造となっている。荒いメッシュの内部に、きつねなどのフアー素材６をメッシュに直接、ボタンなどで留め、開閉の一度で済む様、足の出し入れを容易にした冬用にする。障害者、健常者共に同じデザイン、機能を持ったブーツである。但し、健常者は、障害者よりも踵は高くなっているが、下まで降ろせる、両サイドの左右にあるダブルジッパーを採用していて、一人でも片手で容易に履けるブーツである。
【実施例２】
【００１９】  実施例２のダブルジッパーブーツを図２に基づいて説明する。
ダブルジッパーブーツは、脚部１の上端から脚部１と足部２の下端まで繋がっているジッパー４、５が取り付けられていて、ジッパー４、５を下げれば、脚部１は前方側と後方側とに分離するようになっており、前方側を前方向に倒すことで、後方側の脚部１に大きな間口幅を保持した開口ができるよう構成されている点で実施例１のＭ＆Ｆブーツと同じであり、脚部１と足部２とが足首部３が、本皮製、ワニ皮製等で形成されていて、黒、白、茶、ブルー、カーキ、赤等の色になっている点、ジッパー４，５に大きな蝶Ｂマーク７を付いている点が相違している。【００２０】  ダブルジッパーブーツは、Ｍ＆Ｆブーツと同様に、脚部１の左右の両サイドのジッパー４、５を下げれば、脚部１の前方側と後方側とに分けられ、前方側を前方向に倒すことで、脚部１に大きな開口幅を保持して開口させることができるよう構成されているので、補装具を装着した障害者が介護者の手を借りず一人で簡単にブーツを履いたり脱いだりすることができ、さらには蝶Ｂマーク７がジッパー４，５に取り付けられているので、蝶Ｂマーク７を握って上下させることでジッパー４、５が開閉できるので、ジッパー４、５の開閉を楽に行うことができる。【００２１】  ダブルジッパーブーツは以上の通りであり、ダブルジッパーブーツのコンセプトは、補装具装着の状態の障害者は、靴、ブーツの間口が広くないと補装具は入らないので、右左にあるダブルジッパーで間口を拡げ、補装具装着の状態の障害者がブーツの着脱が一人で、片手で、容易に行うことができるようにした点であり、補装具を装着している障害者に、デザイン性が高く、安全性も高い、装具が隠れる高さで、左右大きさが違う、膝までの補装具用ブーツにより障害者が履くことに喜びを感じるブーツである。
【実施例３】
【００２２】  実施例３のＳＳＦブーツ（表から見えない面ファスナーブーツを意味するＳｅｃｒｅｔ  Ｓｕｒｆａｃｅ  ｆａｓｔｅｎｅｒ  Ｂｏｏｔｓの略）を図３に基づいて説明する。  ＳＳＦブーツは、Ｍ＆Ｆブーツ、ダブルジッパーブーツのジッパー４、５に代えて面ファスナー１４，１５を使用し、脚部１の上部には蝶Ｂマーク７がボタン或いは面ファスナーで留めている。そのほかはダブルジッパーブーツの構成と類似しているので、詳細説明は省略する。【００２３】  ＳＳＦブーツは以上の通りであり、ＳＳＦブーツのコンセプトは、脚部１のフロント両側が膝下から側部２の下まで開くように面ファスナー１４，１５を、表から見ても、見えないように取り付けており、補装具装着の状態での障害者も一人で、片手で、容易に脚部１の着脱が可能で、間口が大きいため、補装具を履いていても一人で、片手で容易に履く事が出来るブーツを提供すること、補装具を装着している障害者にも、デザイン性が高く、安全性も高い、装具が隠れる高さで、左右大きさが違う、膝まで足用装具用ブーツで、特に障害者は一人で、片手でも容易に着脱が出来るよう、面ファスナーになっていて、健常者、障害者のユニバーサルデザインのブーツにより障害者も喜んで履くようなブーツを提供することである。なお、脚部１の面ファスナーの閉じ力はジッパーより小さい場合もあるので、蝶Ｂマーク７の取り付けにより、閉じ力を補うものである。蝶Ｂマークはボタン等着けになっている。
【実施例４】
【００２４】  実施例４のセントラルジッパーブーツを図４に基づいて説明する。
セントラルジッパーブーツは、脚部１と足部２とが足首部３を介して繋げられて形成されており、脚部１、足部２、足首部３は黒、白、茶等の色の本皮で形成されている。脚部１の上端から脚部１と足部２のつま先まで繋がっているジッパー４、５が中央に取り付けられていて、ジッパー４、５を足部２のつま先まで下げれば、脚部１の上端から足部２のつま先まで開口できる構成となっている。脚部１のフロント上部には付いている。蝶Ｂマークは、ボタンで大きい蝶Ｂマーク７が取り付けられている。【００２５】  このセントラルジッパーブーツは、中央のジッパー４、５を足部２のつま先まで下げて脚部１の上端から足部２のつま先まで開口させることで脚部１に大きな開口幅を保持して開口させることができるので、補装具を装着した障害者が介護者の手を借りず一人で簡単にブーツを履いたり脱いだりすることができる。またつま先まで開口すればあし部２内の空気を変えることが出来、蒸れ防止になる。【００２６】  セントラルジッパーブーツは以上の通りであり、セントラルジッパーブーツのコンセプトも前の実施例と略同様であり、中央にジッパーがあり、足用装具装着の状態の障害者でも、補装具装着の状態での障害者も一人で、片手で、容易に脚部１の着脱が可能で、間口が大きいため、補装具を履いていても一人で、片手で容易に履く事が出来るブーツを提供すること、補装具を装着している障害者にも、デザイン性が高く、安全性も高い、装具が隠れる高さで、左右大きさが違う、膝まで足用装具用ブーツで、特に障害者は一人で、片手でも容易に着脱が出来るようになっていて、健常者、障害者のユニバーサルデザインのブーツにより障害者も喜んで履くようなブーツを提供することである。なお、デザイン性を高めるために脚部１の上端に蝶Ｂマーク７が取り付けられている。
【実施例５】
【００２７】  実施例５のハーフジッパーブーツを図５に基づいて説明する。
ハーフジッパーブーツは、脚部１と足部２とが足首部３を介して繋下られて形成されており、脚部１、足部２、足首部３は黒、白、茶等の色の本皮で形成されている。脚部１の側部上端から足部２の株まで繋がり、さらに足部２の（株）先端まで伸びて繋がったジッパー４、５が取り付けられていて、脚部１の上端から足部２のつま先まで開口できる構成となっている。脚部１のフロント上部に、ボタンで大きい蝶Ｂマーク７が取り付けられている。【００２８】  このハーフジッパーブーツも、側部のジッパー４と足部２の下部でつま先まで設けられたジッパー５を開くことにより脚部１の上端から足部２のつま先まで開口させることで脚部１に大きな開口幅を保持して開口させることができるので、補装具を装着した障害者が介護者の手を借りず一人で簡単にブーツを履いたり脱いだりすることができる。またつま先まで開口すればあし部２内の空気を変えることが出来、蒸れ防止になる。【００２９】  ハーフジッパーブーツは以上の通りであり、ハーフジッパーブーツのコンセプトも前の実施例と略同様であり、健常者、障害者のユニバーサルデザインのブーツである。ハーフジッパーブーツは、ブーツの中半分がジッパーになっており、両側内側に、足先から膝下までジッパーが付いている。側内側の片面部分がジッパーになっているため、間口が広くなっており、補装具装着の状態での障害者も一人で、片手で、容易に着脱が可能なブーツである。補装具を装着している障害者には、デザイン性の低い靴しかなく、健常者と同じように、デザイン性が高く、安全性も高い、装具が隠れる高さで、左右大きさが違う、膝までの長さの補装具用ブーツを提供している。本皮製で、色は黒、白、茶等となっている。デザインはシンプルで、障害者、健常者共に同じデザインとなっていて、同様な機能を持ったブーツである。特にデザイン性を高めるため、大きい蝶Ｂマークが後ろ側に付いているのが特徴。前からは、上の方にある程度幅のある同じ皮で出来ているベルトが見えるが、その延長線に斜めに大きい蝶Ｂマークがある。
【実施例６】
【００３０】  実施例６のホールイン１ブーツを図６に基づいて説明する。
ホールイン１ブーツは、脚部１と足首部３と足部２の踵部が１枚の大きな本皮で形成され、脚部１の前方側は皮が二重になるよう巻かれていて、皮と皮との間には面ファスナー８が設けられている。脚部１の足首部３に位置する重なり部は開高の際に廣井開高を形成するよう固定されておらず、単に巻いているだけとしてある。脚部１のバック上部にボタン又は面ファスナーで大きい蝶Ｂマーク７が取り付けられている。【００３１】  このホールイン１ブーツも、脚部の重なり部を開くことで大きな開口が形成でき、補装具を装着した障害者が介護者の手を借りず一人で簡単にブーツを履いたり脱いだりすることができる。【００３２】  ホールイン１ブーツは以上の通りであり、ハーフジッパーブーツのコンセプトも前の実施例と略同様であり、健常者、障害者のユニバーサルデザインのブーツである。ホールイン１ブーツは、大きな一枚の皮のブーツ。皮を巻き込んで履くブーツであり、間口が広くなっており、補装具を履いていても一人で、片手で、容易に履けるブーツである。踝から、膝下まで、４〜５カ所に横に付いている面ファスナーで留める。そのため補装具の状態での障害者も一人で、片手で、容易に着脱が可能である。補装具を装着している障害者には、デザイン性の低い靴しかなく、健常者と同じように、デザイン性が高く、安全性も高い、装具が隠れる高さで、左右大きさが違う、膝までの長さの補装具用ブーツを提供している。本皮製で、色は黒、白、茶等となっている。デザインはシンプルで、障害者、健常者共に同じデザインとなっていて、同様な機能を持ったブーツである。特にデザイン性を高めるため、大きい蝶Ｂマークが後ろ側に付いているのが特徴。前からは、上の方にある程度幅のある同じ皮で出来ているベルトが見えるが、その延長線に斜めに大きい蝶Ｂマークがある。なお、脚部１の面ファスナーの閉じ力はジッパーより小さい場合もあるので、蝶Ｂマーク７の取り付けにより、閉じ力を補うものである。蝶Ｂマークはボタン等着けになっている。
【実施例７】
【００３３】  実施例７のＳＳＦのあみあげブーツを図７に基づいて説明する。
このあみあげブーツの基本的な構造はホールイン１ブーツと同じであり、面ファスナー８の取り付け構造、脚部１前面に手に障害を持つ人でも容易に履く事が出来るよう、外さなくて良いようにあみあげ９を設けている点で異なり、その他へ同じである。【００３４】  あみあげブーツのコンセプトも前の実施例と略同様であり、健常者、障害者の両者が利用できるユニバーサルデザインのブーツである。あみあげブーツは、大きな一枚の皮のブーツ。皮を巻き込んで履くブーツであり、間口が広くなっており、補装具を履いていても一人で、片手で、容易に履けるブーツである。踝から、膝下まで、４〜５カ所に横に付いている面ファスナーで留める。そのため補装具の状態での障害者も一人で、片手で、容易に着脱が可能である。補装具を装着している障害者には、デザイン性の低い靴しかなく、健常者と同じように、デザイン性が高く、安全性も高い、装具が隠れる高さで、左右大きさが違う、膝までの長さの補装具用ブーツを提供している。本皮製で、色は黒、白、茶等となっている。デザインはシンプルで、障害者、健常者共に同じデザインとなっていて、同様な機能を持ったブーツである。
【実施例８】
【００３５】  実施例８であるＳＤブーツを図８に基づいて説明する。
ＳＤブーツとは、補装具ブーツの意味である。黒、白、茶等の色の本皮で補装具をかたどったブーツであり、フロント部分を開いている。本革製の５ｃｍ程をベルトで横で留める。横ベルトは上部、膝下２カ所、足首回りに２カ所、踝、足指１カ所、全５カ所、ボタン或は面ファスナーで頑丈に留める。サイドからバックまで本革製。
障害者、健常者共に同じデザイン、機能を持ったブーツ。但し、健常者は、障害者よりも踵は高い。履き易く、涼しいブーツ。【００３６】  主に春から夏にかけてブーツ。大きな蝶Ｂマークが５カ所の横ベルトに付いており、デザイン的にも差別化されたブーツ。
これまでａ  ｓｕｐｐｏｒｔｉｖｅ  ｄｅｖｉｃｅは、補装具の意味。ＳＤブーツは、補装具ブーツの意。補装具は隠す物という概念を超越したブーツ。ＳＤブーツは、補装具の機能をそのハードなイメージをまま残したブーツ。健常者でも、足用装具装着の状態での障害者でも一人で、片手で容易に着脱が可能なブーツ。本ブーツは、障害者ではなく健常者が主たるターゲット。特に障害者が隠れて履く補装具に注目し、補装具を象ったブーツを逆に健常者に履いて頂くことで、障害者の心理の働きかけたもの。足用装具を装着している障害者には、デザイン性の低い靴しかなく、健常者の履く靴デザイン性の高い物は皆無であった。
【符号の説明】
【００３７】１      脚部
２      足部
３      足首部
４、５  ジッパー
６      ファー素材
７      蝶Ｂマーク
８      面ファスナー
９      あみあげ
１０    ボタン等
【図１】
0003195889.tif 000003
【図２】
0003195889.tif 000004
【図３】
0003195889.tif 000005
【図４】
0003195889.tif 000006
【図５】
0003195889.tif 000007
【図６】
0003195889.tif 000008
【図７】
0003195889.tif 000009
【図８】
0003195889.tif 000010